(57)【要約】【課題】いわゆる縁無し記録において、記録ヘッドによる画像記録可能領域内においてシートが確実に支持され、且つ記録速度の高速化及び装置の小型化を実現し得る手段を提供する。【解決手段】プリンタ部１１は、記録用紙１７を支持するプラテン４２と、プラテン４２に対向する記録ヘッド３９と、プラテン４２の記録可能領域１０８に対して搬送向き１０１の上流側及び下流側にそれぞれ配置された第１支持部４５及び第２支持部４６と、初期位置Ｐ０及び退避位置Ｐ１へ移動可能な第３支持部５４と、第３支持部５４を移動させる駆動機構４８と、第３支持部５４を初期位置Ｐ０又は退避位置Ｐ１へ移動させて縁無し記録を行う制御部６４とを具備する。【選択図】図２
2010082835.tif 000002
【特許請求の範囲】
【請求項１】
その上面においてシートを支持するプラテンと、
上記プラテン上へシートを搬送する搬送機構と、
上記プラテンの上面に対向して配置され、上記搬送機構によるシートの搬送向きへ列設された複数の吐出口から上記プラテンの上面へ向かってインク滴を選択的に吐出する記録ヘッドと、
上記プラテンの上面から上記記録ヘッドへ向かって突出し、上記記録ヘッドにおいてインク滴を吐出可能な全吐出口が列設された記録可能領域より上記搬送向きの上流側及び下流側にそれぞれ配置された第１支持部及び第２支持部と、
上記プラテンの上面から上記記録ヘッドへ向かって突出し、少なくとも、上記記録可能領域より上記搬送向きの上流側又は下流側の第１位置、及び上記記録可能領域内の第２位置へ移動可能な第３支持部と、
上記第３支持部を少なくとも上記第１位置及び上記第２位置へ移動させる駆動機構と、
上記第３支持部を上記第１位置に位置せしめて、シートを上記プラテン上における上記記録可能領域へ搬送させて当該シートの先端側に上記記録ヘッドからインク滴を選択的に吐出させ、上記第２位置に位置せしめられたときの上記第３支持部を被覆可能な位置まで当該シートを搬送させた後に、上記第３支持部を上記第２位置へ移動させて当該シートに上記記録ヘッドからインク滴を選択的に吐出させ、当該シートを上記第２位置に位置された上記第３支持部上を通過する位置まで搬送させる前に、上記第３支持部を上記第１位置に位置せしめて当該シートの後端側に上記記録ヘッドからインク滴を選択的に吐出させる制御手段と、を具備するインクジェット記録装置。
【請求項２】
上記第１位置が、上記記録可能領域より上記搬送向きの上流側である請求項１に記載のインクジェット記録装置。
【請求項３】
上記制御手段は、上記シートが上記第２位置に位置せしめられたときの上記第３支持部を被覆可能な位置にあり、且つその先端が上記記録可能領域内にあるときに、上記第３支持部を上記第２位置に位置せしめ、上記シートの後端が上記記録可能領域内にあり、且つ当該シートが上記第２位置に位置された上記第３支持部上を通過する前に、上記第３支持部を上記第１位置に位置せしめる請求項１又は２に記載のインクジェット記録装置。
【請求項４】
上記第１支持部から上記第２位置までの上記搬送向きに沿った第１距離と、上記第２位置から上記第２支持部までの上記搬送向きに沿った第２距離とが、ほぼ同等である請求項１から３のいずれかに記載のインクジェット記録装置。
【請求項５】
複数の上記第３支持部が、上記搬送向きと交差する第１方向へ列設された請求項１から４のいずれかに記載のインクジェット記録装置。
【請求項６】
上記第３支持部は、プラテンの上面に形成されたスリットを通じて当該上面から記録ヘッドへ向かって突出する請求項１から５のいずれかに記載のインクジェット記録装置。
【請求項７】
プラテンの上面から記録ヘッドへ向かって突出し、当該記録による記録可能領域よりシートが搬送される搬送向きの上流側及び下流側にそれぞれ配置された第１支持部及び第２支持部と、プラテンの上面から記録ヘッドへ向かって突出し、少なくとも、上記記録可能領域より上記搬送向きの上流側又は下流側の第１位置、及び上記記録可能領域内の第２位置へ移動可能な第３支持部と、が設けられたインクジェット記録装置において、
上記第３支持部を上記第１位置に位置せしめて、シートを上記プラテン上における上記記録可能領域へ搬送させて、当該シートの先端側に上記記録ヘッドからインク滴を選択的に吐出させる第１ステップと、
上記第２位置に位置されたときの上記第３支持部を被覆可能な位置まで上記シートを搬送させた後に、上記第３支持部を上記第２位置に位置せしめて、当該シートに上記記録ヘッドからインク滴を選択的に吐出させる第２ステップと、
上記シートを上記第２位置に位置された上記第３支持部上を通過する位置まで搬送させる前に、上記第３支持部を上記第１位置に位置せしめて、当該シートの後端側に上記記録ヘッドからインク滴を選択的に吐出させる第３ステップと、を含む縁無し記録方法。
【請求項８】
上記第１位置が、上記記録可能領域より上記搬送向きの上流側である請求項７に記載の縁無し記録方法。
【請求項９】
上記第２ステップにおいて、上記シートが上記第２位置に位置されたときの上記第３支持部を被覆可能な位置にあり、且つその先端が上記記録可能領域内にあるときに、上記第３支持部を上記第２位置に位置せしめ、
上記第３ステップにおいて、上記シートの後端が上記記録可能領域内にあり、且つ当該シートが上記第２位置に位置された上記第３支持部上を通過する前に、上記第３支持部を上記第１位置に位置せしめる請求項７又は８に記載の縁無し記録方法。
【発明の詳細な説明】
【技術分野】
【０００１】
本発明は、記録ヘッドからシートに選択的にインク滴を吐出して縁無し記録を行うインクジェット記録装置及び縁無し記録方法に関する。
【背景技術】
【０００２】
従来より、インクを用いて記録用紙（シート）に画像を記録するインクジェット方式の画像記録装置（以下、「インクジェット記録装置」とも称される。）が知られている。このインクジェット記録装置は、インクジェット方式の記録ヘッドを備え、画像データに基づいて記録ヘッドのノズルからインク滴を記録用紙へ向けて選択的に吐出する。このインク滴が記録用紙に着弾することによって、記録用紙に所望の画像が記録される。インクジェット記録装置において、記録用紙は、給紙カセット又は給紙トレイと呼ばれる箱形状又はトレイ形状の空間に複数枚が貯えられており、画像記録が行われる際に、記録ヘッドの直下へ給送される。記録ヘッドの直下には、インクジェット記録装置用プラテン（以下、「プラテン」とも称される。）が設けられており、このプラテン又はプラテンに設けられたリブなどによって、記録用紙が記録ヘッドに対向した状態に支持される。
【０００３】
ところで近年、デジタルカメラが一般的に普及し、デジタルカメラで撮影した画像データを個人で専用の記録用紙に記録する、いわゆる家庭内写真プリントが広く行われるようになってきた。このような写真の画像を専用の記録用紙に記録する際に、記録用紙の周縁に余白を設けることなく記録用紙全体に画像を記録する記録方法が知られており、この記録方法がいわゆる縁無し記録と称されている。縁無し記録においては、記録用紙の周縁とほぼ同じ位置乃至外側にまで記録ヘッドからインク滴が吐出される。このため、縁無し記録においては、記録用紙に着弾しなかったインク滴がプラテンに着弾することがある。プラテンに着弾したインク滴が記録用紙の裏面などに付着しないように、プラテンには記録用紙を支持するリブなどより低い位置まで凹んで形成されたインク受け部が設けられている。また、縁無し記録の際には、記録用紙がプラテンのリブなどを覆うまで、リブ近傍に対して記録ヘッドからインク滴が吐出されないように制御されている。
【０００４】
また、前述された縁無し記録において、記録ヘッドがインク滴を吐出する領域を広くして記録速度の高速化を実現すると共に、記録ヘッドに平行に記録用紙を支持すべく、可動リブ（可動支持部）を設けた構成が提案されている（特許文献１〜４）。この構成では、プラテンに設けられて搬送方向へ延びるリブにおいて、記録ヘッドによる画像記録可能領域に対応する位置に記録用紙が接触し得ない溝を形成し、その溝に記録用紙の搬送方向へスライド移動する可動リブを設ける。これにより、縁無し記録において記録用紙に着弾しなかったインク滴がリブの溝に着弾するので、その後に搬送される記録用紙には溝内のインク滴は付着しない。また、リブの溝においては、記録用紙の先端又は後端の位置に応じてスライドされる可動リブが記録用紙を支持するので、溝上において、記録面が記録ヘッドに対して平行となるように記録用紙が支持される。
【０００５】
【特許文献１】特開２００６−３２６９９０号公報
【特許文献２】特開２００７−１１８４８０号公報
【特許文献３】特開２００７−１７５９７１号公報
【特許文献４】特開２００７−１７６０９３号公報
【発明の開示】
【発明が解決しようとする課題】
【０００６】
ところで、前述された記録ヘッドは、インク滴を吐出する複数の吐出口が、記録用紙の搬送方向に沿って列設されている。このような記録ヘッドを用いたいわゆる縁無し記録において、画像記録の高速化を実現するには、記録用紙の先端側及び後端側において、全吐出口を用いて画像記録を行い得ることが望ましい。仮に、前述された可動リブに代えて、搬送方向へ移動することがない固定リブが設けられたとすれば、記録用紙の先端が固定リブを覆うまでは先端側に縁無し記録ができないか、固定リブにインク滴が付着しないように記録ヘッドの吐出口の一部を制限して縁無し記録を行うこととなるので、画像記録の高速化が実現され難い。
【０００７】
一方、前述されたように、いわゆる縁無し記録において、記録ヘッドによる画像記録可能領域外に可動リブを移動させるためには、プラテンにおける搬送向きの上流側及び下流側に可動リブを退避させる領域をそれぞれ設けることが必要となる。その結果、プラテンが搬送向きに大きくなり、ひいては装置の小型化に反することとなる。
【０００８】
さらに、前述されたように、可動リブを記録用紙の搬送に追従させるには、記録用紙の搬送機構に同調可能な駆動機構を設ける必要がある。その結果、装置の部品点数が増加するので、構成が複雑になったり、組立作業が煩雑になったりして、装置の小型化やコストダウンに反することとなる。
【０００９】
本発明は、このような事情に鑑みてなされたものであり、その目的とするところは、いわゆる縁無し記録において、記録ヘッドによる記録可能領域内においてシートが確実に支持され、且つ記録速度の高速化及び装置の小型化を実現し得る手段を提供することにある。
【課題を解決するための手段】
【００１０】
(1)  本発明に係るインクジェット記録装置は、その上面においてシートを支持するプラテンと、上記プラテン上へシートを搬送する搬送機構と、上記プラテンの上面に対向して配置され、上記搬送機構によるシートの搬送向きへ列設された複数の吐出口から上記プラテンの上面へ向かってインク滴を選択的に吐出する記録ヘッドと、上記プラテンの上面から上記記録ヘッドへ向かって突出し、上記記録ヘッドにおいてインク滴を吐出可能な全吐出口が列設された記録可能領域より上記搬送向きの上流側及び下流側にそれぞれ配置された第１支持部及び第２支持部と、上記プラテンの上面から上記記録ヘッドへ向かって突出し、少なくとも、上記記録可能領域より上記搬送向きの上流側又は下流側の第１位置、及び上記記録可能領域内の第２位置へ移動可能な第３支持部と、上記第３支持部を少なくとも上記第１位置及び上記第２位置へ移動させる駆動機構と、上記第３支持部を上記第１位置に位置せしめて、シートを上記プラテン上における上記記録可能領域へ搬送させて当該シートの先端側に上記記録ヘッドからインク滴を選択的に吐出させ、上記第２位置に位置せしめられたときの上記第３支持部を被覆可能な位置まで当該シートを搬送させた後に、上記第３支持部を上記第２位置へ移動させて当該シートに上記記録ヘッドからインク滴を選択的に吐出させ、当該シートを上記第２位置に位置された上記第３支持部上を通過する位置まで搬送させる前に、上記第３支持部を上記第１位置に位置せしめて当該シートの後端側に上記記録ヘッドからインク滴を選択的に吐出させる制御手段と、を具備する。
【００１１】
インクジェット記録装置は、縁無し記録を実施し得る。縁無し記録において、搬送機構によって、プラテン上にシートが搬送される。プラテン上に搬送されたシートの先端側は第１支持部に支持される。そして、シートの先端が、記録可能領域へ進入すると、例えばシートの搬送が間欠されている間に、記録ヘッドの吐出口から選択的にインク滴が吐出される。これにより、シートの先端側に縁無し記録が行われる。このとき、第３支持部は第１位置に位置せしめられているので、記録ヘッドの全吐出口からインク滴が吐出されたとしても、第３支持部にインク滴が付着することがない。
【００１２】
プラテン上のシートが更に搬送されて、第２位置に位置されたときの第３支持部を被覆可能な位置まで搬送されると、記録ヘッドからインク滴が吐出されないシート搬送の際などに、第３支持部が第２位置に位置せしめられる。第３支持部がシートを支持することによって、シートが第１支持部と第２支持部との間に垂れ込むことが防止される。また、第２位置の第３支持部はシートに覆われているので、記録ヘッドの全吐出口からインク滴が吐出されたとしても、第３支持部にインク滴が付着することがない。
【００１３】
プラテン上のシートが更に搬送されると、シートの先端側は第２支持部に支持される。シートの後端が第２位置に位置された第３支持部上を通過する位置まで搬送される前に、記録ヘッドからインク滴が吐出されないシート搬送の際などに、第３支持部が第１位置に位置せしめられる。シートの後端が記録可能領域へ進入すると、シートの後端側に縁無し記録が行われる。このとき、第３支持部は第１位置に位置せしめられているので、記録ヘッドの全吐出口からインク滴が吐出されたとしても、第３支持部にインク滴が付着することがない。
【００１４】
なお、本明細書においては別段の定めがない限り、「方向」とは、例えば＋，−のように相対する向きを有する直線で表されるものであり、「向き」とは、方向のうち例えば＋又は−のように１個のアローヘッドを有する矢印で表されるものである。
【００１５】
(2)  上記第１位置が、上記記録可能領域より上記搬送向きの上流側であることが好ましい。
【００１６】
プラテン上にシートが搬送されると、その先端側は第１支持部及び第３支持部に支持される。そして、シートが更に搬送されて、第２位置に位置されたときの第３支持部を被覆可能な位置まで搬送されると、第３支持部が第２位置へ移動される。この第３支持部の移動において、第３支持部は常にシートに覆われた状態にある。換言すれば、第３支持部は、シートに潜り込むように移動しない。したがって、第３支持部が移動される際に、シートの先端に第３支持部が当接して、シートを破損等することがない。
【００１７】
シートの後端が第２位置に位置された第３支持部上を通過する位置まで搬送される前に、第３支持部が搬送向きと反対方向へ移動されて第１位置へ位置せしめされる。この第３支持部の移動において、第３支持部はシートに覆われた状態から抜け出る。換言すれば、第３支持部は、シートに潜り込むように移動しない。したがって、第３支持部が移動される際に、シートの後端に第３支持部が当接して、シートを破損等することがない。
【００１８】
(3)  上記制御手段は、上記シートが上記第２位置に位置されたときの上記第３支持部を被覆可能な位置にあり、且つその先端が上記記録可能領域内にあるときに、上記第３支持部を上記第２位置に位置せしめ、上記シートの後端が上記記録可能領域内にあり、且つ当該シートが上記第２位置に位置された上記第３支持部上を通過する前に、上記第３支持部を上記第１位置に位置せしめるものであってもよい。
【００１９】
シートが第２位置に位置されたときの第３支持部を被覆可能な位置にあり、且つその先端が記録可能領域内にあるときには、シートの先端側は第２支持部に支持されていない。このときに、第３支持部が第２位置に位置せしめられることによって、第３支持部がシートを支持して、シートの先端が第１支持部と第２支持部との間に垂れ込むことが効果的に防止される。
【００２０】
シートの後端が記録可能領域内に進入すると、シートの後端側は第１支持部に支持されていない。このときに、第３支持部が第２位置に位置せしめられていることによって、第３支持部がシートを支持して、シートの後端が第１支持部と第２支持部との間に垂れ込むことが効果的に防止される。そして、シートの後端が第２位置に位置された第３支持部上を通過する前に、第３支持部が第２位置に位置せしめられることによって、記録ヘッドの全吐出口からインク滴が吐出されたとしても、第３支持部にインク滴が付着することがない。
【００２１】
(4)  上記第１支持部から上記第２位置までの上記搬送向きに沿った第１距離と、上記第２位置から上記第２支持部までの上記搬送向きに沿った第２距離とが、ほぼ同等であってもよい。
【００２２】
第１距離と第２距離とがほぼ同等とは、搬送向きにおける第１支持部と第２支持部とのほぼ中央に第２位置があるという意味である。これによって、シートが最も垂れ込む易い位置において、第３支持部によってシートを支持させることができる。特に、第１位置及び第２位置の二つの位置のみを第３支持部が移動される態様において有効な配置である。
【００２３】
(5)  複数の上記第３支持部が、上記搬送向きと交差する第１方向へ列設されてもよい。
【００２４】
これにより、シートの幅方向（第１方向）に対して複数箇所でシートを支持できるので、記録ヘッドとシートとのギャップがシートの全面に対して同等となるようにシートが支持され、高精度な画像記録が実現される。
【００２５】
(6)  上記第３支持部は、プラテンの上面に形成されたスリットを通じて当該上面から記録ヘッドへ向かって突出するものであってもよい。
【００２６】
(7)  本発明は、プラテンの上面から記録ヘッドへ向かって突出し、当該記録による記録可能領域よりシートが搬送される搬送向きの上流側及び下流側にそれぞれ配置された第１支持部及び第２支持部と、プラテンの上面から記録ヘッドへ向かって突出し、少なくとも、上記記録可能領域より上記搬送向きの上流側又は下流側の第１位置、及び上記記録可能領域内の第２位置へ移動可能な第３支持部と、が設けられたインクジェット記録装置において、上記第３支持部を上記第１位置に位置せしめて、シートを上記プラテン上における上記記録可能領域へ搬送させて、当該シートの先端側に上記記録ヘッドからインク滴を選択的に吐出させる第１ステップと、上記第２位置に位置されたときの上記第３支持部を被覆可能な位置まで上記シートを搬送させた後に、上記第３支持部を上記第２位置に位置せしめて、当該シートに上記記録ヘッドからインク滴を選択的に吐出させる第２ステップと、上記シートを上記第２位置に位置された上記第３支持部上を通過する位置まで搬送させる前に、上記第３支持部を上記第１位置に位置せしめて、当該シートの後端側に上記記録ヘッドからインク滴を選択的に吐出させる第３ステップと、を含む縁無し記録方法として捉えてもよい。
【００２７】
(8)  上記第１位置が、上記記録可能領域より上記搬送向きの上流側であることが好ましい。
【００２８】
(9)  上記第２ステップにおいて、上記シートが上記第２位置に位置されたときの上記第３支持部を被覆可能な位置にあり、且つその先端が上記記録可能領域内にあるときに、上記第３支持部を上記第２位置に位置せしめ、上記第３ステップにおいて、上記シートの後端が上記記録可能領域内にあり、且つ当該シートが上記第２位置に位置された上記第３支持部上を通過する前に、上記第３支持部を上記第１位置に位置せしめてもよい。
【発明の効果】
【００２９】
本発明によれば、第３支持部を第１位置に位置せしめて、シートをプラテン上における記録可能領域へ搬送させて当該シートの先端側に記録ヘッドからインク滴を選択的に吐出させ、第２位置に位置されたときの第３支持部を被覆可能な位置までシートを搬送させた後に、第３支持部を第２位置に位置せしめて当該シートに記録ヘッドからインク滴を選択的に吐出させ、シートを第２位置に位置された第３支持部上を通過する位置まで搬送させる前に、第３支持部を第１位置に位置せしめて当該シートの後端側に上記記録ヘッドからインク滴を選択的に吐出させるので、縁無し記録において、記録ヘッドの全吐出口からインク滴が吐出されたとしても、第３支持部にインク滴が付着することがない。また、第３支持部が第２位置に位置せしめられている状態では、第３支持部がシートに覆われているので、記録ヘッドの全吐出口からインク滴が吐出されたとしても、第３支持部にインク滴が付着することがない。これにより、シートが第１支持部と第２支持部との間に垂れ込むことが防止されるので、縁無し記録においてシートが汚されることが防止される。また、記録ヘッドの全吐出口を用いることが可能なので、画像記録の高速化が実現され得る。さらに、記録可能領域の上流側又は下流側の一方にのみ第３支持部を退避させればよいので、第３支持部の移動範囲を短くすることができ、装置の小型化及びコストダウンが実現される。
【発明を実施するための最良の形態】
【００３０】
以下、適宜図面を参照して、本発明の好ましい実施形態が詳細に説明される。なお、本実施形態は、本発明の一例にすぎず、本発明の要旨を変更しない範囲で適宜変更され得る。
【００３１】
［図面の説明］
図１は、本発明の実施形態に係る複合機１０の外観斜視図である。図２は、複合機１０の内部構成を示す模式図である。図３は、記録ヘッド１９における記録可能領域１０３を示す底面図である。図４は、複合機１０の制御部６４の構成を示すブロック図である。図５は、プラテン４２の構成を示す概略斜視図である。なお、図５では、キャリッジ３８が省略されている。図６は、図５におけるV-V切断線の断面を示す断面図である。図７は、駆動機構４８の構成を示す平面図である。なお、図７では、上フレーム４９、第１トリガー８３及び第２トリガー８４が省略されている。図８及び図９は、キャリッジ３８の入力による駆動機構４８の動作を説明するための断面図である。図１０から図１２は、縁無し記録方法における第３支持部５４の動作を説明するために模式図である。図１３から図１５は、変形例に係る縁無し記録方法における第３支持部５４の動作を説明するために模式図である。
【００３２】
［複合機１０の概略構成］
複合機１０は、プリンタ部１１及びスキャナ部１２を備えた多機能装置（ＭＦＤ：Multi Function Device）であり、プリント機能、スキャン機能、コピー機能、ファクシミリ機能を有する。複合機１０のうちプリンタ部１１が、本発明に係るインクジェット記録装置に相当する。したがって、複合機１０においてプリント機能以外の機能は任意のものであり、本発明に係るインクジェット記録装置は、例えばスキャナ部１２が省略された単機能のプリンタとして実施されてもよい。
【００３３】
複合機１０のプリンタ部１１は、主にコンピュータやデジタルカメラなどの外部情報機器と接続され得る。外部情報機器から送信された画像データや文書データを含む記録データに基づいて、プリンタ部１１が被記録媒体としての記録用紙に画像や文書を記録する。また、複合機１０にはカード形式のメモリなどの各種記憶媒体が装着され得る。この記憶媒体に記憶された画像データなどに基づいても、プリンタ部１１が記録用紙に画像を記録し得る。
【００３４】
図１に示されるように、複合機１０の外形は、横幅及び奥行きが高さよりも大きい幅広薄型の略直方体である。複合機１０の下部がプリンタ部１１である。複合機１０は、正面側に開口１３を有する。開口１３の内側に、給紙トレイ２０及び排紙トレイ２１が上下２段に設けられている。給紙トレイ２０には、複数枚の記録用紙が保持される。画像記録に際して、給紙トレイ２０に保持された記録用紙がプリンタ部１１の内部へ給送されて所望の画像が記録され、画像記録後の記録用紙が排紙トレイ２１へ排出される。
【００３５】
複合機１０の上部がスキャナ部１２である。スキャナ部１２は、いわゆるフラットベッドスキャナとして構成されているが、スキャナ部１２の構成は本発明に直接関係しないので、ここではその詳細な説明が省略される。
【００３６】
複合機１０の正面上部に操作パネル１５が設けられている。操作パネル１５は、プリンタ部１１やスキャナ部１２を操作するための装置であって、各種操作ボタンや液晶表示部から構成されている。複合機１０は、操作パネル１５からの操作指示に基づいて動作する。複合機１０が外部情報機器に接続されている場合には、この外部情報機器からプリンタドライバ又はスキャナドライバを介して送信される指示に基づいても複合機１０が動作する。また、複合機１０の正面にスロット部１６が設けられている。カード形式のメモリカードは、スロット部１６に装着されてデータの読み書きが可能となる。
【００３７】
［プリンタ部１１の概略構成］
以下、プリンタ部１１の概略構成が説明される。図２に示されるように、複合機１０の底側に給紙トレイ２０が配置されている。給紙トレイ２０には、例えばＡ４サイズなどの所定サイズ以下の記録用紙が保持可能である。もっとも、給紙トレイ２０にスライドトレイを設けてトレイ面を拡大可能とすれば、所定サイズ（例えばＡ４サイズ）の記録用紙より大きな記録用紙（例えばリーガルサイズ）を給紙トレイ２０に保持させることもできる。
【００３８】
給紙トレイ２０の奥側には分離板２２が設けられている。分離板２２は、その上端がプリンタ部１１の背面側（図２における右側）へ傾倒されている。後述される給紙ローラ２５の回転によって給紙トレイ２０から給送された記録用紙が、例え重送されたとしても、これらの記録用紙は分離板２２によって分離され、且つ分離された最上位置の記録用紙のみが上方へ案内される。
【００３９】
排紙トレイ２１は、給紙トレイ２０の上側に配置されている。排紙トレイ２１は、画像記録後の記録用紙を積載状態で保持する。給紙トレイ２０から排紙トレイ２１へは、後述される用紙搬送路２３によって記録用紙が搬送可能である。画像記録は、記録用紙の搬送過程において画像記録ユニット２４によって行われる。
【００４０】
給紙ローラ２５は、給紙トレイ２０の上側に設けられている。給紙ローラ２５は、給紙トレイ２０に積載された記録用紙を用紙搬送路２３へ給送する。給紙ローラ２５は、アーム２６の先端に支持されている。給紙ローラ２５は、ＬＦモータ７１（図４参照）を駆動源として、図に示されていない駆動伝達機構を介して駆動されて回転される。この駆動伝達機構は、例えば複数のギアが相互に噛合されてなり、各ギアの回転が順次伝達されることによって、ＬＦモータ７１の駆動を給紙ローラ２５へ伝達する。
【００４１】
アーム２６は、その基端部が基軸２８に支持されて、基軸２８を回動中心軸として回転可能である。このアーム２６の回転によって、給紙ローラ２５が、給紙トレイ２０に対して接離可能に上下動する。アーム２６は、自重により又はバネなどに付勢されて下側へ弾性付勢されている。このため、アーム２６は、通常において給紙トレイ２０側へ回転し、給紙トレイ２０が挿抜される際に給紙トレイ２０により上側へ押しやられて回転する。アーム２６が弾性付勢によって下側へ回転すると、給紙ローラ２５が給紙トレイ２０上の記録用紙に圧接する。その状態で、給紙ローラ２５が回転されると、給紙ローラ２５のローラ面と記録用紙との間の摩擦力により、最上位置の記録用紙が分離板２２へ送り出される。記録用紙は、その先端が分離板２２に当接して上方へ案内され、用紙搬送路２３へ給送される。
【００４２】
用紙搬送路２３は、給紙トレイ２０における分離板２２の上側から、上方へＵターンして装置正面側へ延びるいわゆるＵターンパスとして形成されている。図には示されていないが、用紙搬送路２３は、画像記録ユニット２４などが配設されている箇所以外は、外側ガイド面と内側ガイド面とによって区画形成されている。これらガイド面は、プリンタ部１１の筐体などに固定されている。
【００４３】
［画像記録ユニット２４］
図２に示されるように、画像記録ユニット２４は、用紙搬送路２３が上方へＵターンする湾曲部分より搬送向き１０１の下流側に配置されている。画像記録ユニット２４は、キャリッジ３８と、インクジェット方式の記録ヘッド３９とを備えている。記録ヘッド３９は、キャリッジ３８に搭載されている。キャリッジ３８は、記録用紙の搬送向き１０１と直交する方向（図３の矢印１０２、以下「往復動方向１０２」とも称される。）へ往復動する。各図には現れていないが、複合機１０の内部には、記録ヘッド３９とは独立して各色インク毎にインクカートリッジが配置されている。これらのインクカートリッジから各インクチューブを通じてシアン・マゼンタ・イエロー・ブラックの各色インクが記録ヘッド３９へ供給される。
【００４４】
なお、本実施形態では、記録用紙は搬送向き１０１にのみ搬送されるものとして説明がされるが、本発明に係るインクジェット記録装置において、各種記録制御に応じてシートが正搬送（搬送向き１０１）及び逆搬送（搬送向き１０１とは反対の向き）に搬送されてもよいことは言うまでもない。
【００４５】
図３に示されるように、記録ヘッド３９は、その下面に複数のノズル４０を有する。各ノズル４０は、シアン・マゼンタ・イエロー・ブラックの各色インクに対応して記録用紙の搬送向き１０１に沿ってそれぞれ１列に配置されている。図３に示されるように、各ノズル４０は、シアンのインクを吐出するノズルが参照符号４０Ｃで示され、マゼンタのインクを吐出するノズルが参照符号４０Ｍで示され、イエローのインクを吐出するノズルが参照符号４０Ｙで示され、ブラックのインクを吐出するノズルが参照符号４０Ｂｋで示されている。本明細書では、各色に対応したノズル４０Ｃ，４０Ｍ，４０Ｙ，４０Ｂｋを総称して、単にノズル４０とも称される。記録ヘッド３９の下面に開口したノズル４０の開口端が、本発明における吐出口に相当する。また、記録ヘッド３９の下面において、搬送向き１０１及び往復動方向１０２をそれぞれ各辺とした全ノズル４０を含む矩形の領域（図３において２点鎖線で囲まれた領域）が記録可能領域１０３と称される。
【００４６】
各図には現れていないが、各ノズル４０内に設けられたピエゾ素子の振動によって、各ノズル４０から各色インクのインク滴が吐出される。キャリッジ３８が往復動される間に、記録ヘッド３９から各色インクが微小なインク滴として選択的に吐出される。これにより、プラテン４２上を搬送される記録用紙に画像が記録される。なお、各ノズルの搬送向き１０１に沿ったピッチや数は、記録される画像の解像度などに応じて適宜設定される。また、カラーインクの種類数に応じて各色に対応したノズルの列数が増減される。
【００４７】
各図には現れていないが、キャリッジ３８の配置に対応して、往復動方向１０２へ延びるガイドレールやガイドシャフトなどのガイド部材が設けられている。キャリッジ３８は、このガイド部材に支持されて往復動方向１０２へスライド移動可能である。また、キャリッジ３８には、ＣＲモータ７３（図４参照）からベルト駆動機構などの駆動伝達機構を介して駆動伝達される。ベルト駆動機構は、例えば往復動方向１０２を長尺方向として一対のプーリに無端環状のベルトが架け渡され、ＣＲモータ７３によってプーリが回転されるとベルトが周運動する構成である。このベルトにキャリッジが連結されることにより、ベルトの周運動がキャリッジに伝達されて、キャリッジ３８が往復動方向１０２へ往復動し得る。
【００４８】
図２に示されるように、画像記録ユニット２４の下側には、記録ヘッド３９と対向してプラテン４２が配設されている。プラテン４２は、キャリッジ３８の往復動範囲のうち、記録用紙が通過する中央部分を占めるように配設されている。プラテン４２の幅（図２の紙面に垂直な方向の長さ）は、プリンタ部１１が搬送可能な記録用紙の最大幅（図２の紙面に垂直な方向の長さ）より十分に大きく設定されている。したがって、搬送される記録用紙の幅方向における両端は、常にプラテン４２上を通過する。後に詳述されるが、このプラテン４２に可動部４７（図２参照）が設けられている。可動部４７は、記録用紙の搬送向き１０１に沿ってスライド可能である。
【００４９】
［搬送機構］
記録用紙を搬送する搬送機構は、前述された給紙ローラ２５の他、搬送ローラ６０及びピンチローラ６１、排紙ローラ６２及び拍車ローラ６３を主要部材として構成されている。
【００５０】
図２に示されるように、画像記録ユニット２４より搬送向き１０１の上流側に一対の搬送ローラ６０及びピンチローラ６１が設けられている。ピンチローラ６１は、搬送ローラ６０と接離する方向に移動可能に設けられている。ピンチローラ６１は、コイルバネにより搬送ローラ６０に圧接するように付勢されている。搬送ローラ６０とピンチローラ６１との間に記録用紙が進入すると、ピンチローラ６１が記録用紙の厚み分だけコイルバネの付勢力に抗して退避するとともに、記録用紙を搬送ローラ６０に圧接させる。これにより、搬送ローラ６０の回転力が確実に記録用紙へ伝達される。搬送ローラ６０及びピンチローラ６１は、用紙搬送路２３を搬送される記録用紙を狭持してプラテン４２上へ搬送する。
【００５１】
画像記録ユニット２４より搬送向き１０１の下流側に一対の排紙ローラ６２及び拍車ローラ６３が設けられている。排紙ローラ６２及び拍車ローラ６３は、記録済みの記録用紙を狭持して排紙トレイ２１へ搬送する。拍車ローラ６３は、排紙ローラ６２と接離する方向に移動可能に設けられている。拍車ローラ６３は、コイルバネにより排紙ローラ６２に圧接するように付勢されている。排紙ローラ６２と拍車ローラ６３との間に記録用紙が進入すると、拍車ローラ６３が記録用紙の厚み分だけコイルバネの付勢力に抗して退避するとともに、記録用紙を排紙ローラ６２に圧接する。これにより、排紙ローラ６２の回転力が確実に記録用紙へ伝達される。
【００５２】
搬送ローラ６０及び排紙ローラ６２は、ＬＦモータ７１から駆動力が伝達されて同期回転される。搬送ローラ６０及び排紙ローラ６２が記録制御に応じて回転したり停止したりする、いわゆる間欠駆動されることにより、記録用紙が所定の改行幅で間欠して搬送される。そして、記録用紙が停止しているときに、キャリッジ３８が往復動しながら画像データに基づいて記録ヘッド３９からインク滴が選択的に吐出されることにより、記録用紙上に画像が記録される。
【００５３】
用紙搬送路２３には、搬送ローラ６０より搬送向き１０１の上流側にレジセンサ５９が配置されている。図には示されていないが、レジセンサ５９は、検出子と光学センサとを有するいわゆるメカニカルセンサである。レジセンサ５９の検出子は、用紙搬送路２３へ突出しており、回動により用紙搬送路２３に対して出没する。検出子は、図示しないバネ材により弾性付勢されて用紙搬送路２３へ突出しており、１枚の記録用紙が当接すると用紙搬送路２３から退避するように弾性付勢に抗して回動される。レジセンサ５９は、このような検出子の回動を光学センサにより検出して電気信号として出力する。レジセンサ５９が出力する電気信号に基づいて、検出子の位置を記録用紙の先端又は後端が通過したことが判定される。
【００５４】
［制御部６４］
制御部６４は、プリンタ部１１のみでなくスキャナ部１２も含む複合機１０の全体動作を制御するものである。なお、スキャナ部１２の制御に関する構成は、本発明の主要な構成ではないので、その詳細な説明は省略される。
【００５５】
図４に示されるように、制御部６４は、ＣＰＵ（Central Processing Unit）６５、ＲＯＭ（Read Only Memory）６６、ＲＡＭ（Random Access Memory）６７、ＥＥＰＲＯＭ（Electrically Erasable and Programmable ROM）６８を主とするマイクロコンピュータとして構成されている。制御部６４は、バス６９を介してＡＳＩＣ（Application Specific Integrated Circuit）７０に接続されている。
【００５６】
ＲＯＭ６６には、複合機１０の各種動作を制御するためのプログラムなどがＲＯＭ６６に格納されている。ＲＡＭ６７は、ＣＰＵ６５が上記プログラムを実行する際に用いる各種データを一時的に記録する記憶領域又は作業領域として使用される。ＥＥＰＲＯＭ６８に、電源オフ後も保持すべき設定やフラグなどが格納される。
【００５７】
ＡＳＩＣ７０は、ＣＰＵ６５からの指令に従い、ＬＦモータ７１に通電するＰＷＭ信号などを生成する。この信号は、ＬＦモータ７１の駆動回路７２に付与され、この駆動回路７２を介して駆動信号がＬＦモータ７１に通電される。このようにして、ＬＦモータ７１の回転制御が行われる。ＬＦモータ７１は、搬送ローラ６０及び排紙ローラ６２の駆動源であり、且つ給紙ローラ２５の駆動源でもある。
【００５８】
駆動回路７２は、ＬＦモータ７１を所望の回転で駆動させるものである。駆動回路７２は、ＡＳＩＣ７０からの出力信号を受けて、ＬＦモータ７１を回転するための電気信号を生成する。この電気信号を受けてＬＦモータ７１が回転する。ＬＦモータ７１の回転が給紙ローラ２５、搬送ローラ６０及び排紙ローラ６２へ伝達される。
【００５９】
ＡＳＩＣ７０は、ＣＰＵ６５からの指令に従い、ＣＲモータ７３に通電するＰＷＭ信号などを生成する。この信号は、ＣＲモータ７３の駆動回路７４に付与され、この駆動回路７４を介して駆動信号がＣＲモータ７３に通電される。このようにして、ＣＲモータ７３の回転制御が行われる。
【００６０】
駆動回路７４は、ＣＲモータ７３を所望の回転で駆動させるものである。駆動回路７４は、ＡＳＩＣ７０からの出力信号を受けて、ＣＲモータ７３を回転するための電気信号を生成する。この電気信号を受けてＣＲモータ７３が回転する。ＣＲモータ７３の回転力は、ベルト駆動機構を介してキャリッジ３８へ伝達され、これにより、キャリッジ３８が往復動される。このようにして、キャリッジ３８の往復動が制御部６４により制御される。また、キャリッジ３８が、往復動の際に第１トリガー８３又は第２トリガー８４を動作させることによって可動部４７がスライドされるが、この構成については後述される。
【００６１】
駆動回路７５は、記録ヘッド３９を所定のタイミングで駆動させるものである。ＣＰＵ６５から出力される駆動制御手順に基づいて、ＡＳＩＣ７０が出力信号を生成する。この出力信号に基づいて駆動回路７５が記録ヘッド３９を駆動制御する。この駆動回路７５は、ヘッド制御基板に搭載されている。駆動回路７５から出力される信号は、フラットケーブルなどの電送部材を介して制御部６４を構成するメイン基板からヘッド制御基板へ伝送される。これにより、記録ヘッド３９は、所定のタイミングで各色インクを記録用紙に対して選択的に吐出する。
【００６２】
搬送ローラ６０の回転量は、ロータリーエンコーダ７６の検出信号に基づいて判定される。図２等には示されていないが、ロータリーエンコーダ７６は、搬送ローラ６０と同軸に設けられて回転するエンコーダディスクの光学パターンを光学センサで検知して、その光学パターンに応じた電気信号をエンコーダ量として出力する。制御部６４は、レジセンサ５９の検出信号及びロータリーエンコーダ７６が検出するエンコーダ量に基づいて記録用紙の先端又は後端の位置を把握する。制御部６４は、記録用紙の先端がプラテン４２の所定の位置に到達すると、記録用紙を所定の改行幅ごとに間欠搬送すべくＬＦモータ７１の回転を制御する。この改行幅は、画像記録の条件として入力された解像度などに基づいて設定される。
【００６３】
キャリッジ３８の位置は、リニアエンコーダ７７の検出信号に基づいて判定される。図２等には示されていないが、リニアエンコーダ７７は、キャリッジ３８を案内するガイド部材に沿って設けられたエンコーダストリップの光学パターンを、キャリッジ３８に搭載された光学センサで検知して、その光学パターンに応じた電気信号をエンコーダ量として出力する。キャリッジ３８は、複合機１０の電源オンにより、往復動範囲の一方の端まで移動され、リニアエンコーダ７７による検知位置が初期化される。キャリッジ３８が初期位置からガイド部材に沿って移動すると、キャリッジ３８に設けられた光学センサがエンコーダストリップの光学パターンを検知して位相の異なる複数のパルス信号を出力する。制御部６４は、これらパルス信号に基づいて、キャリッジ３８の移動方向及び速度を把握する。また、制御部６４は、この移動方向及び速度に基づいてキャリッジ３８の往復動を制御すべく、ＣＲモータ７３の回転を制御する。
【００６４】
スキャナ部１２、複合機１０の操作指示を行うための操作パネル１５、各種小型メモリカードが挿入されるスロット部１６、パソコンなどの外部情報機器とパラレルケーブルやＵＳＢケーブルを介してデータの送受信を行うためのパラレルインタフェース７８及びＵＳＢインタフェース７９などがＡＳＩＣ７０に接続されている。さらに、ファクシミリ機能を実現するためのＮＣＵ（Network Control Unit）８０やモデム（MODEM）８１もＡＳＩＣ７０に接続されている。
【００６５】
［プラテン４２］
図５に示されるように、プラテン４２は、概略として平板形状であり、その上面４３が記録ヘッド３９のノズル４０と対向されて配置されている。プラテン４２の上面４３は、キャリッジ３８の往復動方向１０２を長手方向とする概ね長方形である。
【００６６】
プラテン４２は、上面４３を有するフレーム４４と、フレーム４４の上面４３に設けられた第１支持部４５及び第２支持部４６と、フレーム４４内に設けられた可動部４７と、可動部４７をスライド駆動する駆動機構４８（図７参照）とを主要な構成とする。
【００６７】
フレーム４４は、例えば合成樹脂や鋼板からなり、プラテン４２の外形を構成する。フレーム４４は、概ね中空の直方体形状をなしており、上面４３を含む上フレーム４９と下フレーム５０とから構成されている。上フレーム４９と下フレーム５０とが組み付けられる前に、後述される可動部４７及び駆動機構４８などがフレーム４４内に配置される。各図には現れていないが、フレーム４４は、ブラケットなどを介してプリンタ部１１のフレームなどに固定される。
【００６８】
フレーム４４の上面４３に、第１支持部４５及び第２支持部４６が設けられている。第１支持部４５は、上面４３における搬送向き１０１の上流側において、複数が長手方向（往復動方向１０２）に沿って所定間隔で一列に設けられている。各第１支持部４５は、薄肉平板形状のリブであり、上面４３において搬送向き１０１を長手方向として上方へ突出されている。また、各第１支持部４５のリブ形状は、搬送向き１０１に沿って傾斜面が形成されて上向きに突出する山形形状をなしている。
【００６９】
第２支持部４６は、上面４３における搬送向き１０１の下流側において、フレーム４４の長手方向（往復動方向１０２）に沿って延出されている。第２支持部４６は、搬送向き１０１に沿った断面形状が山形形状であって、記録ヘッド３９へ向かって上方へ突出している。
【００７０】
各第１支持部４５と第２支持部４６とは、搬送向き１０１に沿って隔てられている。本実施形態においては、各第１支持部４５と第２支持部４６との間として認識される上面４３の一部分が溝５１と称される。溝５１は、上面４３においてプラテン４２の長手方向（往復動方向１０２）へ延びている。溝５１の搬送向き１０１に沿った長さ（各第１支持部４５と第２支持部４６との距離１０４）は、記録ヘッド３９の記録可能領域１０３における搬送向き１０１に沿った長さ１０５（図３参照）より長い。換言すれば、第１支持部４５及び第２支持部４６は、プラテン４２の上面４３において、キャリッジ３８と共に往復動する記録ヘッド３９の記録可能領域１０３に対応する記録可能領域１０８（図５において二点鎖線で囲まれた領域）、つまり各ノズル４０からインク滴が着弾し得る領域より搬送向き１０１の上流側及び下流側にそれぞれ配置されている。
【００７１】
フレーム４４の上面４３には、搬送向き１０１に沿って延びるスリット５２が複数設けられている。各スリット５２は、プラテン４２の長手方向（往復動方向１０２）へ所定間隔で配置されている。ほとんどのスリット５２は、隣り合う第１支持部４５の間から第２支持部４６より搬送向き１０１の下流側まで延出されている。したがって、第２支持部４６は、結果としてプラテン４２の長手方向（往復動方向１０２）に対して複数のスリット５２により分断されている。各スリット５２を通じて、後述される可動部４７の第３支持部５４が、上面４３から記録ヘッド３９へ向かって上方へ突出している。フレーム４４の長手方向（往復動方向１０２）における各スリット５２の幅は、可動部４７の第３支持部５４が通過可能であれば十分である。したがって、本実施形態のプラテン４２においては、第２支持部４６は、複数のスリット５２により分断されているものの、仮に可動部４７が存在しない場合のプラテンの構成、すなわち第２支持部４６が複数のスリット５２によって分断されていないプラテンの構成に比して、記録用紙を支持する機能には何ら変わりがない。
【００７２】
図２、図５及び図６に示されるように、可動部４７は、フレーム４４内に配置されて搬送向き１０１へ移動可能なベース５３と、ベース５３に設けられた複数の第３支持部５４とを有する。なお、図２においては、フレーム４４の一部が省略されている。第３支持部５４は、薄肉平板のリブであり、ベース５３の短手方向（搬送向き１０１に沿った方向）を長手方向として、ベース５３からそれぞれ上方へ突出する。各第３支持部５４のリブ形状は、その上側部分が搬送向き１０１に沿って傾斜面が形成されて上向きに突出する山形形状をなしている。このような複数の第３支持部５４が、ベース５３の長手方向（往復動方向１０２）に所定間隔で一列に配置されている。各第３支持部５４間の距離は、上フレーム４９に形成された各スリット５２間の距離と等しい。各第３支持部５４は、上フレーム４９の下側からスリット５２を通じて上面４３の上側へそれぞれ突出されている。つまり、可動部４７は、上フレーム４９に対して上面４３と反対側配置されて、第３支持部５４が記録ヘッド３９へ向かってそれぞれ突出している。複数の第３支持部５４が列設された往復動方向１０２が、本発明における第１方向に相当する。
【００７３】
図７に示されるように、下フレーム５０には、搬送向き１０１に沿って一対の支持ガイド５５，５６が設けられている。各支持ガイド５５，５６は、搬送向き１０１を長手方向として延びる台形状であり、各支持ガイド５５，５６の上面は、同一の水平面に含まれる。各支持ガイド５５，５６の搬送向き１０１に沿った長さは、可動部４７のスライド範囲に対応されて、スライド範囲を含むように設定されている。この一対の支持ガイド５５，５６に、可動部４７のベース５３が支持されており、支持ガイド５５，５６の上面に案内されて搬送向き１０１に沿って移動可能である。
【００７４】
駆動機構４８は、可動部４７を搬送向き１０１に沿って移動させるためのものである。図５から図７に示されるように、駆動機構４８は、第１トリガー８３、第２トリガー８４、第１ラック部材８５、伝達ギヤ８６，８７及び第２ラック部材８８，８９を主要な構成とする。
【００７５】
第１トリガー８３は、フレーム４４内において往復動方向１０２の一端側（図６における左側）に設けられている。第１トリガー８３は、レバー９０の一端に平歯ギヤ９１が設けられたものである。上フレーム４９には、上面４３に往復動方向１０２へ延びる長孔５７が形成されており、この長孔５７を通じてレバー９０の一部が上面４３から上方へ突出されている。第１トリガー８３は、フレーム４４内において往復動方向１０２へ振り子の如く回動可能に設けられている。したがって、レバー９０は、長孔５７の延出方向、つまり往復動方向１０２へ回動可能である。レバー９０の回動に伴って、フレーム４４内の平歯ギヤ９１が回転される。
【００７６】
第２トリガー８４は、フレーム４４内において往復動方向１０２の他端側（図６における右側）に設けられている。第２トリガー８４は、３つの節（リンク）９２，９３，９４がクランク形状に連結されたものである。上フレーム４９には、上面４３から側面に渡って孔５８が形成されており、この孔５８を通じて第２トリガー８４の一部がフレーム４４外へ突出されている。節９２は、搬送向き１０１に沿った軸９５を有し、軸９５が上フレーム４９に回動可能に支持されている。節９２の両端には、節９３，９４がそれぞれ連結されている。節９３は、フレーム４４内において節９２の回動に伴って上下動する。節９４は、フレーム４４の外において節９２の回動に伴って上下動する。節９４は、節９２の回動位置によって、フレーム４４の上面４３に対して上方へ出没される。なお、各図には現れていないが、節９２は、ネジリコイルバネなどの付勢部材によって、節９４をフレーム４４の上面４３に対して没入される向き、つまり節９４が下向きに移動するように弾性付勢されている。
【００７７】
第１ラック部材８５は、フレーム４４内において往復動方向１０２を長手方向として配設された長尺部材である。第１ラック部材８５は、第１トリガー８３が配置された一端側（図７における左側）の上面の一部に第１ラックギヤ９６が設けられ、搬送向き１０１に対して上流側となる側面の一部に第２ラックギヤ９７及び第３ラックギヤ９８がそれぞれ設けられている。なお、図６及び図７においては、ギヤの歯が２点鎖線を用いて省略されて示されている。
【００７８】
第１ラック部材８５の中央付近には、上下方向へ貫通されて往復動方向１０２へ延びる長孔９９が形成されている。この長孔９９には、下フレーム５０に設けられた固定フック３０が挿通される。固定フック３０は、下フレーム５０の底面から上方へ突出されて一端側へ鈎形状へ曲がる部材である。長孔９９に対して他端側（図７における右側）には固定フック１００が設けられている。固定フック１００は、第１ラック部材８５の上面から上方へ突出されて他端側へ鈎形状へ曲がる部材である。固定フック３０及び固定フック１００には、引きバネとしてのコイルバネ１１０が架設されている。
【００７９】
第１ラック部材８５の他端（図７における右側）には、カム１１１が設けられている。カム１１１は、第１ラック部材８５の上面から上方へ突出されて、当該上面に対して段差を形成している。
【００８０】
図６に示されるように、下フレーム５０には、底面から上方へ突出する支持ガイド３１，３２，３７が設けられている。各支持ガイド３１，３２，３７は、その上面が同一の水平面に含まれる台形状である。この一対の支持ガイド３１，３２，３７に、前述された第１ラック部材８５が支持されており、支持ガイド３１，３２，３７の上面に案内されて水平方向へ移動可能である。第１ラック部材８５は、前述された長孔９９と固定フック３０との係合によって、その水平移動が長尺方向、つまり往復動方向１０２へ案内される。したがって、第１ラック部材８５は、往復動方向１０２へ水平移動可能である。下フレーム５０の側面には、往復動方向１０２へ移動される第１ラック部材８５との当接を回避するために、孔３３，３４が形成されている。第１ラック部材８５は、往復動方向１０２への移動に伴って、その端部が孔３３，３４からフレーム４４の外側へ突出され得る。
【００８１】
図７に示されるように、フレーム４４において、前述された第１ラック部材８５の第２ラックギヤ９７及び第３ラックギヤ９８にそれぞれ対応する位置に、伝達ギヤ８６，８７がそれぞれ配置されている。各伝達ギヤ８６，８７は、下フレーム５０の底面から鉛直上向きへ延出された軸３５，３６にそれぞれ回転自在に支持されている。各伝達ギヤ８６，８７は、それぞれ第２ラックギヤ９７又は第３ラックギヤ９８と噛合されている。
【００８２】
第２ラック部材８８，８９は、フレーム４４内において搬送向き１０１に沿った方向を長手方向としてそれぞれ配設された長尺部材である。各第２ラック部材８８，８９は、前述された伝達ギヤ８６，８７の直近にそれぞれ配置されている。各第２ラック部材８８，８９の搬送向き１０１の上流端は、可動部４７のベース５３に連結されている。各第２ラック部材８８，８９は、伝達ギヤ８６，８７に対抗する側面の一部にラックギヤ１１２，１１３がそれぞれ設けられている。各ラックギヤ１１２，１１３は、伝達ギヤ８６，８７とそれぞれ噛合されている。
【００８３】
前述されたように構成された駆動機構４８によって、可動部４７は、初期位置Ｐ０と退避位置Ｐ１とに移動される。図１０に示されるように、初期位置Ｐ０は、プラテン４２の溝５１に対応する位置であり、搬送向き１０１に対して第１支持部４５と第２支持部４６との中央となる位置である。換言すれば、第１支持部４５から初期位置Ｐ０までの搬送向き１０１に沿った距離１０６と、初期位置Ｐ０から第２支持部４６までの搬送向き１０１に沿った距離１０７とが同等である（距離１０４＝距離１０６＋距離１０７）。
【００８４】
図１０に示されるように、退避位置Ｐ１は、記録可能領域１０８より搬送向き１０１の上流側であり、搬送向き１０１に対して概ね第１支持部４５付近である。この退避位置Ｐ１が、本発明における第１位置に相当し、前述された初期位置Ｐ０が、本発明における第２位置に相当する。
【００８５】
駆動機構４８への入力は、キャリッジ３８によってなされる。図５及び図６に示されるように、第１トリガー８３のレバー９０が長孔５７の他端（図６における右側）に位置されていると、第１トリガー８３の平歯ギヤ９１と第１ラックギヤ９６により噛合する第１ラック部材８５は、往復動方向１０２に対して一端側（図６における左側）へ位置せしめられる。この第１ラック部材８５のスライド位置において、第２トリガー８４の節９３は、カム１１０の上面に当接している。カム１１０との当接によって節９３が降下されないので、節９２が弾性付勢力に抗して回転されて節９４が降下している。
【００８６】
図７に示されるように、前述された第１ラック部材８５のスライド位置に対応して、第２ラックギヤ９７及び第３ラックギヤ９８、伝達ギヤ８６，８７及びラックギヤ１１２，１１３を介して第２ラック部材８８，８９が搬送向き１０１の下流側へスライドされる。この第２ラック部材８８，８９のスライド位置に対応して、可動部４７の第３支持部５４が初期位置Ｐ０に位置せしめられる。
【００８７】
図８に示されるように、キャリッジ３８がスライドされて第１トリガー８３のレバー９０と当接し、レバー９０を長孔５７の一端（図８における左側）へ回動させると、第１トリガー８３の平歯ギヤ９１と第１ラックギヤ９６により噛合する第１ラック部材８５は、コイルバネ１１０の引っ張り力に抗して、往復動方向１０２に対して他端側（図８における右側）へ移動される。第１ラック部材８５がスライドされることによって、第２トリガー８４の節９３が、カム１１０より中央側まで相対移動されて、第１ラック部材８５の上面へ降下される。これによって、節９２が弾性付勢力によって回転されて節９４が上昇される。上昇された節９４は、キャリッジ３８と当接可能な高さとなる。また、第２トリガー８４の節９３とカム１１０の係合によって、第１ラック部材８５が、コイルバネ１１０の引っ張り力に抗して、このスライド位置に保持される。
【００８８】
前述された第１ラック部材８５のスライドが、第２ラックギヤ９７及び第３ラックギヤ９８、伝達ギヤ８６，８７及びラックギヤ１１２，１１３を介して第２ラック部材８８，８９へ伝達されて、第２ラック部材８８，８９が搬送向き１０１の上流側へスライドされる。この第２ラック部材８８，８９のスライドに連動して、可動部４７の第３支持部５４が退避位置Ｐ１に位置せしめられる。
【００８９】
図９に示されるように、キャリッジ３８がスライドされて第２トリガー８４の節９４と当接し、図６に示されるように、節９４を降下させると、節９２が弾性付勢力に抗して回転されて節９３が上昇される。節９３の下端がカム１１０の上面より上側まで上昇すると、コイルバネ１１０の引っ張り力によって第１ラック部材８５が往復動方向１０２に対して一端側（図６における左側）へスライドされる。第１ラック部材８５がスライドは、第１ラックギヤ９６を介して第１トリガー８４の平歯ギヤ９１へ伝達されて、レバー９０が長孔５７の他端側（図６における右側）へ回動される。また、第２トリガー８４の節９３は、カム１１０の上面に当接し、キャリッジ３８が節９４から離れても、節９２が弾性付勢力に抗して回転されて、節９４が降下した位置に保持される。
【００９０】
前述された第１ラック部材８５のスライドが、第２ラックギヤ９７及び第３ラックギヤ９８、伝達ギヤ８６，８７及びラックギヤ１１２，１１３を介して第２ラック部材８８，８９へ伝達されて、第２ラック部材８８，８９が搬送向き１０１の下流側へスライドされる。この第２ラック部材８８，８９のスライドに連動して、可動部４７の第３支持部５４が初期位置Ｐ０に位置せしめられる。
【００９１】
［縁無し記録方法］
複合機１０は、操作パネル１５において所定の操作が行われるか、外部情報機器から所定の指令が送信されることによって、画像記録の態様が選択される。画像記録の態様とは、いわゆる縁有り記録又は縁無し記録である。以下、縁無し記録が選択された際の画像記録が説明される。
【００９２】
本実施形態における縁無し記録方法には、少なくとも以下の３つのステップが含まれる。
（１）第３支持部５４を退避位置Ｐ１に位置せしめて、記録用紙１７をプラテン４２における記録可能領域１０８へ搬送させて、記録用紙１７の先端１８側に記録ヘッド３９からインク滴を選択的に吐出させる第１ステップ。
（２）記録用紙１７が初期位置Ｐ０に位置された第３支持部５４を被覆可能な位置にあり、且つ先端１８が記録可能領域１０８にあるときに、第３支持部５４を初期位置Ｐ０に位置せしめて、記録用紙１７に記録ヘッド３９からインク滴を選択的に吐出させる第２ステップ。
（３）記録用紙１７の後端１９が記録可能領域１０８にあり、且つ記録用紙１７が初期位置Ｐ０に位置された第３支持部５４上を通過する前に、第３支持部５４を退避位置Ｐ１に位置せしめて、記録用紙１７の後端１９側に記録ヘッド３９からインク滴を選択的に吐出させる第３ステップ。
【００９３】
画像記録の開始指令があると、まず、給紙トレイ２０に積載された記録用紙１７が用紙搬送路２３へ給送される。具体的には、制御部６４がＬＦモータ７１を駆動して、給紙ローラ２５が回転される。給紙トレイ２０から用紙搬送路２３に給送された記録用紙１７は、用紙搬送路２３に沿って下方から上方へ反転するように搬送される。
【００９４】
用紙搬送路２３において、記録用紙１７の先端１８がレジセンサ５９に当接してレジセンサ５９がＯＮとなる。記録用紙１７がさらに搬送されることにより、記録用紙１７の先端１８が搬送ローラ６０及びピンチローラ６１に当接する。搬送ローラ６０は、搬送向き１０１と逆向きに回転されているので、この状態では記録用紙１７の先端１８は搬送ローラ６０及びピンチローラ６１に挟持されず、記録用紙１７は、搬送ローラ６０及びピンチローラ６１に当接した状態でレジスト処理される。記録用紙１７がレジスト処理された後、制御部６４はＬＦモータ７１の回転を反転させて、搬送ローラ６０を搬送向き１０１へ回転させる。これにより、レジスト処理された記録用紙が搬送ローラ６０及びピンチローラ６１にニップされる。そして、図１０（Ａ）に示されるように、記録用紙１７がプラテン４２上へ搬送される。
【００９５】
キャリッジ３８は、記録用紙１７がプラテン４２へ搬送されるまでのイニシャライズ動作において、図６に示されるように、第２トリガー８４の節９４を降下させて第３支持部５４を初期位置Ｐ０に位置せしめる。このようなイニシャライズ動作は、前述された記録用紙１７の搬送と無関係に行うことができる。つまり、第３支持部５４を初期位置Ｐ０に位置せしめるための動作は、ＣＲモータ７３を駆動してキャリッジ３８をスライドさせることによるもであり、記録用紙１７の搬送は、ＬＦモータ７１を駆動して搬送機構を動作させることによるものであり、これら動作は独立して行うことができる。
【００９６】
続いて、本発明に係る縁無し記録方法における第１ステップに対応する動作が説明される。第１ステップにおいては、制御部６４が、第３支持部５４を退避位置Ｐ１に位置せしめて、記録用紙１７をプラテン４２における記録可能領域１０８へ搬送させて、記録用紙１７の先端１８側に記録ヘッド３９からインク滴を選択的に吐出させる。
【００９７】
レジスト処理後にＬＦモータ６１が正転されて、搬送ローラ６０及び排紙ローラ６１が搬送向き１０１へ回転すると、記録用紙１７が搬送ローラ６０及びピンチローラ６１にニップされて搬送向き１０１へ搬送される。記録用紙１７の先端がプラテン４２上へ到達すると、ＬＦモータ７１が間欠駆動される。また、記録用紙１７の先端がプラテン４２に到達する前に、所定のタイミングでＣＲモータ７３が駆動されてキャリッジ３８が第１トリガー８３のレバー９０を回動させる。このレバー９０の回動によって、第３支持部５４が退避位置Ｐ１へ移動される。
【００９８】
図１０（Ｂ）に示されるように、記録用紙１７の先端１８がプラテン４２へ到達すると、記録用紙１７の先端１８側は、第１支持部４５及び第３支持部５４に支持される。制御部６４は、記録用紙１７の先端１８がプラテン４２の記録可能領域１０８へ進入すると、ＬＦモータ７１を間欠駆動させて、記録用紙１７を間欠して搬送させる。
【００９９】
記録用紙１７の搬送が間欠している間に、キャリッジ３８とともにスライドされる記録ヘッド３９から各色のインク滴が選択的に吐出されて記録用紙１７に着弾する。縁無し記録では、少なくとも記録用紙１７の周囲の縁までインク滴が吐出されるが、記録用紙１７の先端１８側においては、記録用紙１７の間欠搬送に伴って記録ヘッド３９がインク滴を吐出可能な記録可能領域１０３のうち記録用紙１７の先端１８に対応する位置から搬送向き１０１の上流側においてのみインク滴が吐出される。
【０１００】
前述されたようにして、記録用紙１７の先端１８側に縁無し記録が行われる。このとき、第３支持部５４は退避位置Ｐ１に位置せしめられているので、記録用紙１７の先端１８が記録可能領域１０８へ進入すれば、直ちに記録ヘッド３９からインク滴を吐出させて画像記録を行うことができる。つまり、記録用紙１７の先端１８の位置に対応させながら記録ヘッド３９の記録可能領域１０３のすべてが使用されて記録用紙１７に縁無し記録が実施される。また、記録用紙１７は、その腰（剛性）によって、第１支持部４５及び第３支持部５４から搬送向き１０１に突出された先端１８側を、溝５１内へ垂れ込ますことなく水平に維持する。さらに、記録用紙１７の先端１８に着弾しなかったインク滴は、溝５１へ着弾する。後述されるように、第１支持部４５、第２支持部４６及び第３支持部５４によって支持される記録用紙１７は、溝５１へ垂れ込むことがないので、溝５１へ着弾したインク滴が記録用紙１７を汚すことがない。
【０１０１】
続いて、本発明に係る縁無し記録方法における第２ステップに対応する動作が説明される。第２ステップにおいては、制御部６４が、記録用紙１７が初期位置Ｐ０に位置されたときの第３支持部５４を被覆可能な位置にあり、且つ先端１８が記録可能領域１０８にあるときに、第３支持部５４を初期位置Ｐ０に位置せしめて、記録用紙１７に記録ヘッド３９からインク滴を選択的に吐出させる。
【０１０２】
図１１（Ａ）に示されるように、先端１８側に縁無し記録が行われている記録用紙１７の先端１８が初期位置Ｐ０に位置されたときの第３支持部５４を被覆可能な位置まで搬送されると、キャリッジ３８が第２トリガー８４の節９４を降下させるまでスライドされる。この節９４の降下によって、第３支持部５４が初期位置Ｐ０へ移動される。これにより、記録用紙１７は、その先端１８側が第３支持部５４に支持され、且つ記録可能領域１０８より搬送向き１０１の上流側において第１支持部４５により支持される。第３支持部５４に支持されることにより、第１支持部４５から搬送向き１０１へ大きく突出し且つインク滴が着弾された先端１８側が、溝５１へ垂れ込むことがない。
【０１０３】
そして、前述と同様にして、制御部６４は、記録用紙１７の先端１８側に縁無し記録を行う。縁無し記録では、少なくとも記録用紙１７の周囲の縁までインク滴が吐出されるが、仮に記録用紙１７へ着弾しないインク滴があったとしても、記録用紙１７に覆われている第３支持部５４にインク滴が付着することはない。
【０１０４】
続いて、本発明に係る縁無し記録方法における第３ステップに対応する動作が説明される。第３ステップにおいては、制御部６４が、記録用紙１７の後端１９が記録可能領域１０８にあり、且つ記録用紙１７が初期位置Ｐ０に位置された第３支持部５４上を通過する前に、第３支持部５４を退避位置Ｐ１に位置せしめて、記録用紙１７の後端１９側に記録ヘッド３９からインク滴を選択的に吐出させる。
【０１０５】
図１１（Ｂ）に示されるように、後端１９側に縁無し記録が行われている記録用紙１７の後端１９が初期位置Ｐ０に位置された第３支持部５４上を通過するまでは、記録用紙１７は、その後端１９側が第３支持部５４に支持され、且つ記録可能領域１０８より搬送向き１０１の下流側において第２支持部４６により支持される。第３支持部５４に支持されることにより、第２支持部４６から搬送向き１０１の上流側へ大きく突出し且つインク滴が着弾された後端１９側が、溝５１へ垂れ込むことがない。また、後端１９側への縁無し記録において、仮に記録用紙１７へ着弾しないインク滴があったとしても、記録用紙１７に覆われている第３支持部５４にインク滴が付着することはない。
【０１０６】
さらに記録用紙１７が搬送されて、記録可能領域１０８へ進入した記録用紙１７の後端１９が初期位置Ｐ０に位置された第３支持部５４上を通過する前に、キャリッジ３８が第１トリガー８３のレバー９０を回動させるまでスライドされる。このレバー９０の回動によって、第３支持部５４が退避位置Ｐ１へ移動される。
【０１０７】
そして、記録用紙１７の後端１９側への縁無し記録が継続される。このとき、第３支持部５４は退避位置Ｐ１に位置せしめられているので、初期位置Ｐ０に位置されたときの第３支持部５４上を記録用紙１７の後端１９が通過しても、記録用紙１７の後端１９の位置に対応させながら記録ヘッド３９の記録可能領域１０３のすべてが使用されて記録用紙１７に縁無し記録が実施される。また、記録用紙１７は、その腰（剛性）によって、第２支持部４６から搬送向き１０１の上流側へ突出された後端１９を、溝５１内へ垂れ込ますことなく水平に維持する。さらに、記録用紙１７の後端１９に着弾しなかったインク滴は、溝５１へ着弾するが、前述されたように、第２支持部４６によって支持される記録用紙１７が溝５１へ垂れ込むことがないので、溝５１へ着弾したインク滴が記録用紙１７を汚すことがない。
【０１０８】
なお、本実施形態では詳細な説明がなされないが、プリンタ部１１は、記録用紙の周囲に記録されるべき画像が無い、いわゆる縁有り記録も行い得る。このような縁有り記録では、記録ヘッド３９から記録用紙１７に向けて吐出されるインク滴は全て記録用紙１７上に着弾するので、第３支持部５４を退避位置Ｐ１に位置せしめる必要はない。したがって、縁有り記録がなされる間は、第３支持部５４を初期位置Ｐ０に保持されるので、記録用紙１７の先端１８又は後端１９が第１支持部４５と第２支持部４６との間に垂れることがなく、記録ヘッド３９と記録用紙１７との間の距離（ヘッドギャップ）が一定に保たれる。
【０１０９】
［本実施形態の作用効果］
前述されたように、本実施形態によれば、第３支持部５４を退避位置Ｐ１に位置せしめて、（１）記録用紙１７をプラテン４２の記録可能領域１０８へ搬送させて記録用紙１７の先端１８側に記録ヘッド３９からインク滴を選択的に吐出させ、（２）初期位置Ｐ０に位置された第３支持部５４を被覆可能な位置まで記録用紙１７を搬送させた後に、第３支持部５４を初期位置Ｐ０に位置せしめて記録用紙１７に記録ヘッド３９からインク滴を選択的に吐出させ、（３）記録用紙１７が初期位置Ｐ０に位置された第３支持部５４上を通過する位置まで搬送させる前に、第３支持部５４を退避位置Ｐ１に位置せしめて記録用紙１７の後端１９側に記録ヘッド３９からインク滴を選択的に吐出させるので、縁無し記録において、第３支持部５４にインク滴を付着させることなく、記録用紙１７の先端１８が記録可能領域１０８へ搬送されると或いは記録用紙１７の後端１９が記録可能領域１０８のいずれの位置にあっても、ノズル４０を制限することなく直ちに縁無し記録を行い得る。これにより、画像記録の高速化が実現され得る。
【０１１０】
また、第３支持部５４が初期位置Ｐ０に位置せしめられている状態では、第３支持部５４が記録用紙１７に覆われているので、仮に記録ヘッド３９の全ノズル４０からインク滴が吐出されたとしても、第３支持部５４にインク滴が付着することがない。さらに、第３支持部５４に支持されることによって、記録用紙１７が第１支持部４５と第２支持部４６との間に垂れ込むことが防止されるので、縁無し記録において記録用紙１７がインクで汚されることがない。
【０１１１】
さらに、記録可能領域１０８に対して搬送向き１０１の上流側にのみ第３支持部５４を退避させればよいので、第３支持部５４を搬送向き１０１へ移動させる範囲を短くすることができ、装置の小型化及びコストダウンが実現される。
【０１１２】
また、退避位置Ｐ１を、記録可能領域１０８に対して搬送向き１０１の上流側とすることにより、第３支持部５４が退避位置Ｐ１から初期位置Ｐ０へ移動される際に、第３支持部５４が記録用紙１７の外側から潜り込むような移動とならない。これにより、第３支持部５４が移動される際に、記録用紙１７の先端１８や後端１９に第３支持部５４が当接して、記録用紙１７を破損等することがない。
【０１１３】
また、本実施形態では、第２ステップにおいて、記録用紙１７が初期位置Ｐ０に位置されたときの第３支持部５４を被覆可能な位置にあり、且つ先端１８がプラテン４２の記録可能領域１０８にあるときに、第３支持部５４を初期位置Ｐ０に位置せしめ、第３ステップにおいて、記録用紙１７の後端１９がプラテン４２の記録可能領域１０８にあり、且つ記録用紙１７が初期位置Ｐ０に位置された第３支持部５４上を通過する前に、第３支持部５４を退避位置Ｐ１に位置せしめるので、記録用紙１７が初期位置Ｐ０に位置されたときの第３支持部５４を被覆可能な位置にあり、且つ先端１８がプラテン４２の記録可能領域１０８にあるときには、初期位置Ｐ０に位置された第３支持部５４が記録用紙１７を支持して、記録用紙１７の先端１８が溝５１へ垂れ込むことが効果的に防止される。
【０１１４】
また、記録用紙１７の後端１９がプラテン４２の記録可能領域１０８へ進入すると、初期位置Ｐ０に位置された第３支持部５４が記録用紙１７を支持して、記録用紙５４の後端１９が溝５１へ垂れ込むことが効果的に防止される。そして、記録用紙１７の後端１９が初期位置Ｐ０に位置された第３支持部５４上を通過する前に、第３支持部５４が退避位置Ｐ１に位置せしめられることによって、後端１９の位置に対応して記録ヘッド３９のノズル４０からインク滴が吐出されても、第３支持部５４にインク滴が付着することがない。
【０１１５】
また、第１支持部４５から初期位置Ｐ０までの搬送向き１０１に沿った距離１０６と、初期位置Ｐ０から第２支持部４６までの搬送向き１０１に沿った距離１０７とが同等なので、記録用紙１７が溝５１へ最も垂れ込む易い第１支持部４５と第２支持部４６との中央付近において、第３支持部５４によって記録用紙１７を支持させることができる。
【０１１６】
また、複数の第３支持部５４が、搬送向き１０１と直交する往復動方向１０２に沿って列設されているので、キャリッジ３８が往復動される方向に対して複数箇所で記録用紙１７を支持できるので、記録ヘッド３９と記録用紙１７との間隔（ヘッドギャップ）が記録用紙１７の幅方向に対して同等となるように記録用紙１７が支持され、高精度な画像記録が実現される。
【０１１７】
［変形例］
以下に、前述された実施形態の変形例が説明される。この変形例では、前述された実施形態の退避位置Ｐ１に代えて、プラテン４２の記録可能領域１０８に対して搬送向き１０１の下流側を退避位置Ｐ２としたものである。したがって、前述されたプラテン４２において、可動部４７が搬送向き１０１に沿って移動される範囲が異なるが、前述された駆動機構４８と同様の構成を用いて、例えば前述された実施形態における退避位置Ｐ１を変形例における初期位置Ｐ０に対応させ、前述された実施形態における初期位置Ｐ０を変形例における退避位置Ｐ２に対応させるように各部材の配置を変更することによって、この変形例を実現できるプラテン４２が構成され得る。したがって、以下には、第３支持部５４の動作についてのみが詳細に説明され、プラテン４２の詳細な構成について説明が省略される。なお、各図において、前述された実施形態と同じ参照符号が付された部材は、初期位置Ｐ０及び退避位置Ｐ２が異なることを除いては、同様の部材を示すものである。
【０１１８】
［縁無し記録方法］
以下、変形例に係る縁無し記録が説明される。なお、画像記録の開始指令に基づいて、記録用紙１７がプラテン４２上へ搬送されるまでは、前述された実施形態と同様の動作が行われる。
【０１１９】
以下に、本変形例に係る縁無し記録方法における第１ステップに対応する動作が説明される。第１ステップにおいては、制御部６４が、第３支持部５４を退避位置Ｐ２に位置せしめて、記録用紙１７をプラテン４２における記録可能領域１０８へ搬送させて、記録用紙１７の先端１８側に記録ヘッド３９からインク滴を選択的に吐出させる。
【０１２０】
図１３（Ａ）に示されるように、記録用紙１７の先端がプラテン４２上へ到達すると、ＬＦモータ７１が間欠駆動される。そして、図１３（Ｂ）に示されるように、記録用紙１７の先端１８がプラテン４２に到達する前に、所定のタイミングでＣＲモータ７３が駆動されてキャリッジ３８が第２トリガー８４が動作されて、第３支持部５４が退避位置Ｐ２へ移動される。
【０１２１】
記録用紙１７の先端１８がプラテン４２へ到達すると、記録用紙１７の先端１８側は、第１支持部４５に支持される。制御部６４は、記録用紙１７の先端１８がプラテン４２の記録可能領域１０８へ進入すると、ＬＦモータ７１を間欠駆動させて、記録用紙１７を間欠して搬送させて、記録用紙１７の先端１８側に縁無し記録を行う。このとき、第３支持部５４は退避位置Ｐ２に位置せしめられているので、記録用紙１７の先端１８が記録可能領域１０８へ進入すれば、直ちに記録ヘッド３９からインク滴を吐出させて画像記録を行うことができる。つまり、記録用紙１７の先端１８の位置に対応させながら記録ヘッド３９の記録可能領域１０３のすべてが使用されて記録用紙１７に縁無し記録が実施される。また、記録用紙１７は、その腰（剛性）によって、第１支持部４５から搬送向き１０１に突出された先端１８側を、溝５１内へ垂れ込ますことなく水平に維持する。さらに、記録用紙１７の先端１８に着弾しなかったインク滴は、溝５１へ着弾する。後述されるように、第１支持部４５、第２支持部４６及び第３支持部５４によって支持される記録用紙１７は、溝５１へ垂れ込むことがないので、溝５１へ着弾したインク滴が記録用紙１７を汚すことがない。
【０１２２】
続いて、本変形例に係る縁無し記録方法における第２ステップに対応する動作が説明される。第２ステップにおいては、制御部６４が、記録用紙１７が初期位置Ｐ０に位置されたときの第３支持部５４を被覆可能な位置にあり、且つ先端１８が記録可能領域１０８にあるときに、第３支持部５４を初期位置Ｐ０に位置せしめて、記録用紙１７に記録ヘッド３９からインク滴を選択的に吐出させる。
【０１２３】
図１４（Ａ）に示されるように、先端１８側に縁無し記録が行われている記録用紙１７の先端１８が初期位置Ｐ０に位置されたときの第３支持部５４を被覆可能な位置まで搬送されると、キャリッジ３８が第１トリガー８３を動作させて、第３支持部５４が初期位置Ｐ０へ移動される。これにより、記録用紙１７は、その先端１８側が第３支持部５４に支持され、且つ記録可能領域１０８より搬送向き１０１の上流側において第１支持部４５により支持される。第３支持部５４に支持されることにより、第１支持部４５から搬送向き１０１へ大きく突出し且つインク滴が着弾された先端１８側が、溝５１へ垂れ込むことがない。
【０１２４】
そして、前述と同様にして、制御部６４は、記録用紙１７の先端１８側に縁無し記録を行う。縁無し記録では、少なくとも記録用紙１７の周囲の縁までインク滴が吐出されるが、仮に記録用紙１７へ着弾しないインク滴があったとしても、記録用紙１７に覆われている第３支持部５４にインク滴が付着することはない。
【０１２５】
続いて、本変形例に係る縁無し記録方法における第３ステップに対応する動作が説明される。第３ステップにおいては、制御部６４が、記録用紙１７の後端１９が記録可能領域１０８にあり、且つ記録用紙１７が初期位置Ｐ０に位置された第３支持部５４上を通過する前に、第３支持部５４を退避位置Ｐ２に位置せしめて、記録用紙１７の後端１９側に記録ヘッド３９からインク滴を選択的に吐出させる。
【０１２６】
図１４（Ｂ）に示されるように、後端１９側に縁無し記録が行われている記録用紙１７の後端１９が初期位置Ｐ０に位置された第３支持部５４上を通過するまでは、記録用紙１７は、その後端１９側が第３支持部５４に支持され、且つ記録可能領域１０８より搬送向き１０１の下流側において第２支持部４６により支持される。第３支持部５４に支持されることにより、第２支持部４６から搬送向き１０１の上流側へ大きく突出し且つインク滴が着弾された後端１９側が、溝５１へ垂れ込むことがない。また、後端１９側への縁無し記録において、仮に記録用紙１７へ着弾しないインク滴があったとしても、記録用紙１７に覆われている第３支持部５４にインク滴が付着することはない。
【０１２７】
さらに記録用紙１７が搬送されて、記録可能領域１０８へ進入した記録用紙１７の後端１９が初期位置Ｐ０に位置された第３支持部５４上を通過する前に、キャリッジ３８が第２トリガー８４を動作させて、第３支持部５４が退避位置Ｐ２へ移動される。
【０１２８】
そして、記録用紙１７の後端１９側への縁無し記録が継続される。このとき、第３支持部５４は退避位置Ｐ２に位置せしめられているので、記録用紙１７の後端１９が初期位置Ｐ０に位置されたときの第３支持部５４上を通過しても、記録用紙１７の後端１９の位置に対応させながら記録ヘッド３９の記録可能領域１０３のすべてが使用されて記録用紙１７に縁無し記録が実施される。また、記録用紙１７は、その腰（剛性）によって、第２支持部４６及び第３支持部５４から搬送向き１０１の上流側へ突出された後端１９を、溝５１内へ垂れ込ますことなく水平に維持する。さらに、記録用紙１７の後端１９に着弾しなかったインク滴は、溝５１へ着弾するが、前述されたように、第２支持部４６によって支持される記録用紙１７が溝５１へ垂れ込むことがないので、溝５１へ着弾したインク滴が記録用紙１７を汚すことがない。
【０１２９】
前述されたような変形例に係る縁無し記録方法によって、前述された実施形態と同様に、縁無し記録において第３支持部５４にインク滴を付着させることなく、記録用紙１７の先端１８が記録可能領域１０８へ搬送されると或いは記録用紙１７の後端１９が記録可能領域１０８のいずれの位置にあっても、ノズル４０を制限することなく直ちに縁無し記録を行い得る。これにより、画像記録の高速化が実現され得る。
【０１３０】
また、第３支持部５４が初期位置Ｐ０に位置せしめられている状態では、第３支持部５４が記録用紙１７に覆われているので、仮に記録ヘッド３９の全ノズル４０からインク滴が吐出されたとしても、第３支持部５４にインク滴が付着することがない。さらに、第３支持部５４に支持されることによって、記録用紙１７が第１支持部４５と第２支持部４６との間に垂れ込むことが防止されるので、縁無し記録において記録用紙１７がインクで汚されることがない。
【０１３１】
さらに、記録可能領域１０８に対して搬送向き１０１の下流側の退避位置Ｐ２にのみ第３支持部５４を退避させればよいので、第３支持部５４を搬送向き１０１へ移動させる範囲を短くすることができ、装置の小型化及びコストダウンが実現される。
【図面の簡単な説明】
【０１３２】
【図１】図１は、本発明の実施形態に係る複合機１０の外観斜視図である。
【図２】図２は、複合機１０の内部構成を示す模式図である。
【図３】図３は、記録ヘッド１９における記録可能領域１０３を示す底面図である。
【図４】図４は、複合機１０の制御部６４の構成を示すブロック図である。
【図５】図５は、プラテン４２の構成を示す概略斜視図である。
【図６】図６は、図５におけるVI-VI切断線の断面を示す断面図である。
【図７】図７は、駆動機構４８の構成を示す平面図である。
【図８】図８は、キャリッジ３８の入力による駆動機構４８の動作を説明するための断面図である。
【図９】図９は、キャリッジ３８の入力による駆動機構４８の動作を説明するための断面図である。
【図１０】図１０は、縁無し記録方法における第３支持部５４の動作を説明するために模式図である。
【図１１】図１１は、縁無し記録方法における第３支持部５４の動作を説明するために模式図である。
【図１２】図１２は、縁無し記録方法における第３支持部５４の動作を説明するために模式図である。
【図１３】図１３は、変形例に係る縁無し記録方法における第３支持部５４の動作を説明するために模式図である。
【図１４】図１４は、変形例に係る縁無し記録方法における第３支持部５４の動作を説明するために模式図である。
【図１５】図１５は、変形例に係る縁無し記録方法における第３支持部５４の動作を説明するために模式図である。
【符号の説明】
【０１３３】
１１・・・プリンタ部（インクジェット記録装置）
２５・・・給紙ローラ（搬送機構）
３９・・・記録ヘッド
４０・・・ノズル（吐出口）
４２・・・プラテン
４３・・・上面
４５・・・第１支持部
４６・・・第２支持部
４８・・・駆動機構
５１・・・溝
５２・・・スリット
５４・・・第３支持部
６０・・・搬送ローラ（搬送機構）
６２・・・排紙ローラ（搬送機構）
６４・・・制御部（制御手段）
１０３，１０８・・・記録可能領域
【図１】
2010082835.tif 000003
【図２】
2010082835.tif 000004
【図３】
2010082835.tif 000005
【図４】
2010082835.tif 000006
【図５】
2010082835.tif 000007
【図６】
2010082835.tif 000008
【図７】
2010082835.tif 000009
【図８】
2010082835.tif 000010
【図９】
2010082835.tif 000011
【図１０】
2010082835.tif 000012
【図１１】
2010082835.tif 000013
【図１２】
2010082835.tif 000014
【図１３】
2010082835.tif 000015
【図１４】
2010082835.tif 000016
【図１５】
2010082835.tif 000017